(57)【要約】【課題】人体近接時などのインピーダンス整合損を低減するために、アンテナと無線部のインピーダンス自動整合を行う無線通信装置において、フェージング環境における、インピーダンス自動整合時の収束動作の安定化と、収束過程での受信品質の確保を行う。【解決手段】受信した信号をベースバンド信号にする無線部３と、アンテナ１と無線部３との間のインピーダンスを調整するインピーダンス可変手段２と、ベースバンド信号からパイロット信号を抽出するパイロット信号抽出手段４と、その出力を用いて回線補償を行う第１の回線補償手段５と、その出力を用いてインピーダンス制御適性度を検出するインピーダンス制御適正度検出手段７と、その出力を用いてインピーダンス可変手段２を制御するインピーダンス制御手段８と、パイロット信号を用いて回線補償を行う第２の回線補償手段６と、その出力を用いて復調動作を行う復調部９とを備える。【選択図】図１
2007043676.tif 000002
【特許請求の範囲】
【請求項１】
受信系統部を備えた無線通信装置であって、
前記受信系統部は、
アンテナにより受信した信号を、ベースバンド信号に変換し、出力する無線部と、
前記アンテナと前記無線部との間のインピーダンスを調整するインピーダンス可変手段と、
前記ベースバンド信号から予め既知のパイロット信号を抽出し、出力するパイロット信号抽出手段と、
前記パイロット信号を用いてチャネル推定を行い、前記ベースバンド信号の回線補償を行う回線補償手段と、
前記回線補償手段の出力を用いてインピーダンス制御適性度を検出するインピーダンス制御適正度検出手段と、
前記インピーダンス制御適正度検出手段の出力を基に、前記インピーダンス可変手段のインピーダンス変化量を制御するインピーダンス制御手段と、
を有する無線通信装置。
【請求項２】
前記回線補償手段の出力を用いて復調動作を行う復調部を備えた請求項１記載の無線通信装置。
【請求項３】
前記インピーダンス制御適性度検出手段は、前記回線補償手段の出力電力を用いて、前記インピーダンス制御適正度を検出する請求項２記載の無線通信装置。
【請求項４】
前記インピーダンス制御適性度検出手段は、前記回線補償手段の出力振幅を用いて、前記インピーダンス制御適正度を検出する請求項２記載の無線通信装置。
【請求項５】
前記回線補償手段は、無線フレームまたは無線スロットのプリアンブルに含まれる前記パイロット信号を用いて回線補償を行う請求項２乃至請求項４のいずれかに記載の無線通信装置。
【請求項６】
前記インピーダンス制御手段は、無線フレームまたは無線スロットのプリアンブルに含まれる前記パイロット信号を受信した後に、前記インピーダンス制御適性度検出手段の出力を用いて、前記インピーダンス可変手段を制御する請求項５記載の無線通信装置。
【請求項７】
前記インピーダンス制御手段は、インピーダンスを変化させた期間に対応する前記インピーダンス制御適正度検出手段の出力を基に、インピーダンスを変化させる請求項２乃至請求項６のいずれかに記載の無線通信装置。
【請求項８】
通話開始ボタンを備え、
前記インピーダンス制御手段は、前記通話開始ボタンの操作により前記インピーダンス可変手段の制御を開始する請求項２乃至請求項７のいずれかに記載の無線通信装置。
【請求項９】
インピーダンス整合情報と、前記インピーダンス整合情報に対応する受信信号強度情報とを記憶する記憶手段を備え、
前記記憶手段に記憶された受信信号強度と、インピーダンス制御後の受信信号強度とを比較し、信号強度が大きい方のインピーダンス整合情報と、前記信号強度が大きい方のインピーダンス整合情報に対応する受信信号強度情報とを改めて前記記憶手段に記憶する請求項２乃至請求項８のいずれかに記載の無線通信装置。
【請求項１０】
前記回線補償手段は、無線フレームまたは無線スロットのプリアンブルに含まれる前記パイロット信号を用いてチャネル推定を行い、前記ベースバンド信号の回線補償をして、前記インピーダンス制御適正度検出手段に出力する第1の回線補償手段と、
前記無線フレームまたは前記無線スロットのデータに含まれる前記パイロット信号を用いて回線変動をトラッキングし、前記ベースバンド信号の回線補償をして、前記復調部に出力する第２の回線補償手段と
を有する請求項２乃至請求項９のいずれかに記載の無線通信装置。
【請求項１１】
前記第１の回線補償手段は、前記無線フレームまたは前記無線スロット期間中は、固定の回線変動補償値を用いて回線補償を行う請求項１０記載の無線通信装置。
【請求項１２】
前記インピーダンス制御手段は、前記インピーダンス可変手段を用いて、所定期間だけ前記インピーダンスを調整し、前記所定期間後は、前記インピーダンスを前記所定期間前の状態に戻す請求項２乃至請求項９のいずれかに記載の無線通信装置。
【請求項１３】
アンテナにより受信した信号を、ベースバンド信号に変換し、出力する無線部と、
前記アンテナと前記無線部との間のインピーダンスを調整するインピーダンス可変手段と、
前記ベースバンド信号からサブキャリア毎のベースバンド信号を抽出し、出力するサブキャリア信号抽出部と、
前記サブキャリア毎のベースバンド信号から予め既知のパイロット信号を抽出し、出力するパイロット信号抽出手段、
前記パイロット信号を用いてチャネル推定を行い、前記サブキャリア毎のベースバンド信号に回線補償を行う回線補償手段、
前記回線補償手段の出力を用いてインピーダンス制御適性度を検出するインピーダンス制御適正度検出手段、
をそれぞれ有する複数のサブキャリア処理部と、
前記インピーダンス制御適正度検出手段の出力を基に、前記インピーダンス可変手段のインピーダンス変化量を制御するインピーダンス制御手段と、
前記回線補償手段の出力を用いて復調動作を行う復調部と、
を備えた無線通信装置。
【請求項１４】
アンテナにより受信した信号を、ベースバンド信号に変換し、出力する無線部と、
前記アンテナと前記無線部との間のインピーダンスを調整するインピーダンス可変手段と、
前記ベースバンド信号に逆拡散処理を行い、フィンガパス毎のベースバンド信号を抽出し、出力する逆拡散手段と、
前記フィンガパス毎のベースバンド信号から予め既知のパイロット信号を抽出し、出力するパイロット信号抽出手段、前記パイロット信号を用いてチャネル推定を行い、前記フィンガパス毎のベースバンド信号に回線補償を行う回線補償手段をそれぞれ有する、フィンガパスと同数のフィンガパス処理部と、
前記回線補償手段の出力の加算処理を行う第１の合成部と、
前記第１の合成部の出力を用いてインピーダンス制御適性度を検出するインピーダンス制御適正度検出手段と、
前記インピーダンス制御適正度検出手段の出力を基に、前記インピーダンス可変手段のインピーダンス変化量を制御するインピーダンス制御手段と、
前記回線補償手段の出力の加算処理を行う第２の合成部と、
前記第２の合成部の出力を用いて復調動作を行う復調部と
を備えた無線通信装置。
【請求項１５】
請求項１記載の受信系統部を複数備え、
前記回線補償手段の出力を重み付けて合成するアレー合成手段と、
前記アレー合成手段の出力を用いて復調動作を行う復調部と、
をさらに備えた無線通信装置。
【請求項１６】
前記アレー合成手段は、前記インピーダンス制御手段が、無線フレームまたは無線スロット期間中にインピーダンスを変化させる制御の有無により、アレー合成の方法を変化させる請求項１５記載の無線通信装置。
【請求項１７】
前記アレー合成手段は、前記インピーダンス制御手段が、
無線フレームまたは無線スロット期間中にインピーダンスを変化させる制御を行う場合は、最大比合成重みを用いてアレー合成を行い、
無線フレーム中にインピーダンスを変化させる制御を行わない場合は、ビーム及びヌルの制御を行うアレー合成手法による重みを用いてアレー合成を行う請求項１５記載の無線通信装置。
【請求項１８】
前記アレー合成手段は、
前記インピーダンス制御手段の出力を用いて、受信ウェイトを生成し、出力する受信ウェイト生成部と、
前記回線補償手段の出力を、前記受信ウェイトを用いて合成する受信ビーム形成部と、
を有する請求項１５乃至請求項１７のいずれかに記載の無線通信装置。
【請求項１９】
受信電力を検出する受信電力検出手段と、
前記受信電力検出手段の出力を基に、インピーダンス制御を停止するモードにするか、インピーダンス制御を動作させるモードにするかを判定する動作モード判定部と、
を備え、
前記インピーダンス制御手段は、前記動作モード判定部の出力に応じて動作モードを切り替える請求項２記載の無線通信装置。
【請求項２０】
前記復調部の出力を基に受信品質を推定する受信品質推定部と、
前記受信品質推定部の出力を基に、インピーダンス制御を停止するモードにするか、インピーダンス制御を動作させるモードにするかを判定する動作モード判定部と、
を備え、
前記インピーダンス制御手段は、前記動作モード判定部の出力に応じて動作モードを切り替える請求項２記載の無線通信装置。
【請求項２１】
前記復調部の出力を基に伝送パラメータを抽出する伝送パラメータ抽出部と、
前記伝送パラメータ抽出部の出力を基に、インピーダンス制御を停止するモードにするか、インピーダンス制御を動作させるモードにするかを判定する動作モード判定部と、
を備え、
前記インピーダンス制御手段は、前記動作モード判定部の出力に応じて動作モードを切り替える請求項２記載の無線通信装置。
【請求項２２】
前記動作モード判定部は、前記伝送パラメータ抽出部の出力を基に、受信情報量が所定値よりも小さい場合は、インピーダンス制御を停止するモードとする請求項２１記載の無線通信装置。
【請求項２３】
前記復調部の出力を基に再送制御を行う再送制御部と、
前記再送制御部の出力を基に、インピーダンス制御を停止するモードにするか、インピーダンス制御を動作させるモードにするかを判定する動作モード判定部と、
を備え、
前記インピーダンス制御手段は、前記動作モード判定部の出力に応じて動作モードを切り替える請求項２記載の無線通信装置。
【発明の詳細な説明】
【技術分野】
【０００１】
本発明は、アンテナのインピーダンス整合を適切に行う無線通信装置に関するものである。
【背景技術】
【０００２】
アンテナと無線部との間のインピーダンス整合をとるために、インピーダンス整合回路が用いられている。しかしながら、インピーダンス整合回路が固定的なものである場合、無線通信装置に近接する物体の影響を受けてインピーダンス不整合が生じ、整合損失により本来のアンテナの性能が得られなくなる課題が生じる。
【０００３】
例えば、無線通信装置が使用者の人体に近接して使用される状況下では、人体が損失性の誘電体であることから、アンテナ特性は人体の影響を受け、インピーダンス不整合が生じる。また、通話、メール、かばんやポケットでの保持などの様々な使用状況及び設置環境においてインピーダンス不整合状況が変化する。
【０００４】
このような課題を解決するために、受信信号強度（Ｒｅｃｅｉｖｅｄ  Ｓｉｇｎａｌ  Ｓｔｒｅｎｇｔｈ  Ｉｎｄｉｃａｔｏｒ、以下、ＲＳＳＩとする）を監視し、その値が以前に測定した値よりも下がっている場合、可変リアクタンス素子のリアクタンス値を制御することにより、インピーダンスの整合を行うものがある（例えば、特許文献１参照）。これにより、近接物体の影響により、アンテナとのインピーダンス不整合が生じて、ＲＳＳＩが低下した場合でも、インピーダンスの整合を自動的に行うことで、ＲＳＳＩを回復することができる。また、送信機の場合には、例えば送信アンテナから方向性結合器を通して得られる反射電力が最小となる制御を適用することで、同様なインピーダンスの自動整合が可能である。
【０００５】
また、この自動整合に用いる制御回路や、最適化アルゴリズム、評価関数などについての提案がなされている（例えば、非特許文献１参照）。
【特許文献１】特開昭６１−１３５２３５号公報
【非特許文献１】小川晃一、他３名、「最急降下法による人体近接アクティブアンテナのインピーダンス自動整合」、電子情報通信学会論文誌、社団法人電子情報通信学会、２００４年９月、第Ｊ８７−Ｂ巻、第９号、ｐ１２８７−１２９８
【発明の開示】
【発明が解決しようとする課題】
【０００６】
しかしながら、上記従来の無線通信装置においては、ＲＳＳＩを基にインピーダンス整合を行っているが、ＲＳＳＩが近接物体の影響以外で変動する場合、例えば無線端末装置の移動、あるいは周辺事物の移動により、無線通信を行う伝搬路にフェージングが生じている使用環境においては、伝搬路のフェージング変動と、近接物体の影響による変動との区別ができない。そのため伝搬路のフェージング変動によりＲＳＳＩが低下した場合に、本来は必要でないインピーダンス整合の動作を行うことで、逆にインピーダンスの整合状態を劣化させ、不整合損を増加させてしまうといった課題がある。
【０００７】
また、アンテナと無線部との間の整合回路のインピーダンスを変化させると、受信されるベースバンド信号は、不定量の複素振幅変動を受ける。復調時に同期検波を用いる受信機では、伝搬路の回線変動を予め推定して複素振幅変動を補償した後に、所定のシンボル候補点に最も近いものをシンボル判定値とするが、上記の整合回路のインピーダンス変化による複素振幅変動が生じると、推定された回線変動と差異が生じ、その差異が大きくなるほど、シンボル判定時の誤りを増加させ、受信品質が劣化するという課題が生じる。
【０００８】
本発明は、前記従来の課題を解決するもので、無線通信を行う伝搬路にフェージング変動が生じている場合でも、インピーダンスの自動整合を安定的に実現し、また、インピーダンス自動整合時のインピーダンス変化に起因する受信品質の劣化を低減させる無線通信装置を提供することを目的とする。
【課題を解決するための手段】
【０００９】
前記従来の課題を解決するために、本発明の無線通信装置は、受信系統部を備えた無線通信装置であって、前記受信系統部が、アンテナにより受信した信号を、ベースバンド信号に変換し、出力する無線部と、アンテナと無線部との間のインピーダンスを調整するインピーダンス可変手段と、ベースバンド信号から予め既知のパイロット信号を抽出し、出力するパイロット信号抽出手段と、パイロット信号を用いてチャネル推定を行い、ベースバンド信号の回線補償を行う回線補償手段と、回線補償手段の出力を用いてインピーダンス制御適性度を検出するインピーダンス制御適正度検出手段と、インピーダンス制御適正度検出手段の出力を基に、インピーダンス可変手段のインピーダンス変化量を制御するインピーダンス制御手段と、を有することを特徴とする。
【００１０】
この構成により、伝搬路のフェージング変動による回線変動を補償し、その後、受信状況の変動によるインピーダンス不整合の自動整合を行うので、伝搬路のフェージング変動と、受信状況の変動とを区別することができる。そして、伝搬路がフェージング変動を含む環境下においても、インピーダンスの自動整合の収束時間を短縮し、収束時の特性を改善することができ、受信品質の向上を図ることができる。
【００１１】
また、本発明の無線通信装置では、前記回線補償手段の出力を用いて復調動作を行う復調部を備えることが好ましい。
【００１２】
この構成により、受信品質を向上させた上で復調できる。
【００１３】
また、本発明の無線通信装置では、インピーダンス制御適性度検出手段は、回線補償手段の出力電力を用いて、インピーダンス制御適正度を検出することが好ましい。
【００１４】
この構成により、インピーダンス調整による変動を受信信号電力の変化として検出し、これを基にしたインピーダンス自動整合のアルゴリズムを動作させることができる。
【００１５】
また、本発明の無線通信装置では、インピーダンス制御適性度検出手段は、回線補償手段の出力振幅を用いて、インピーダンス制御適正度を検出することが好ましい。
【００１６】
この構成により、インピーダンス調整による変動を受信信号強度の変化として検出し、これを基にしたインピーダンス自動整合のアルゴリズムを動作させることができる。
【００１７】
また、本発明の無線通信装置では、回線補償手段は、無線フレームまたは無線スロットのプリアンブルに含まれるパイロット信号を用いて回線補償を行うことが好ましい。
【００１８】
この構成により、精度よくフェージング変動を推定することができ、無線フレームまたは無線スロットでのインピーダンスの自動整合をより安定して行うことができる。
【００１９】
また、本発明の無線通信装置では、インピーダンス制御手段は、無線フレームまたは無線スロットのプリアンブルに含まれるパイロット信号を受信した後に、インピーダンス制御適性度検出手段の出力を用いて、インピーダンス可変手段を制御することが好ましい。
【００２０】
この構成により、伝搬路にフェージング変動を含む環境下においても、無線フレームまたは無線スロットに含まれるフェージング変動をより精度よく推定することができ、インピーダンスの自動整合の動作をより安定化することができる。
【００２１】
また、本発明の無線通信装置では、インピーダンス制御手段は、インピーダンスを変化させた期間に対応するインピーダンス制御適正度検出手段の出力を基に、インピーダンスを変化させることが好ましい。
【００２２】
この構成により、インピーダンスを変化させた期間に対応するインピーダンス制御適正度検出手段の出力がある時以外は、インピーダンス制御手段の動作を停止することができ、その間欠動作が可能となるため、無線通信装置そのものの消費電力を低減することができる。
【００２３】
また、本発明の無線通信装置は、通話開始ボタンを備え、インピーダンス制御手段は、通話開始ボタンの操作によりインピーダンス可変手段の制御を開始することが好ましい。
【００２４】
この構成により、携帯電話などの通話開始ボタンが押される場合には明らかに人体近接条件となることを用いて、インピーダンス自動整合の制御を行うことができ、それ以外の場合にはインピーダンス制御手段の動作を停止することができ、その間欠動作が可能となるため、無線通信装置そのものの消費電力を低減することができる。
【００２５】
また、本発明の無線通信装置は、インピーダンス整合情報と、インピーダンス整合情報に対応する受信信号強度情報とを記憶する記憶手段を備え、記憶手段に記憶された受信信号強度と、インピーダンス制御後の受信信号強度とを比較し、信号強度が大きい方のインピーダンス整合情報と、信号強度が大きい方のインピーダンス整合情報に対応する受信信号強度情報とを改めて記憶手段に記憶することが好ましい。
【００２６】
この構成により、インピーダンス自動整合時に、アンテナ利得が所定以上に劣化することを防止することができ、受信品質の特性改善を安定的に行うことができる。
【００２７】
また、本発明の無線通信装置では、回線補償手段は、無線フレームまたは無線スロットのプリアンブルに含まれるパイロット信号を用いてチャネル推定を行い、ベースバンド信号の回線補償をして、インピーダンス制御適正度検出手段に出力する第１の回線補償手段と、無線フレームまたは無線スロットのデータに含まれるパイロット信号を用いて回線変動をトラッキングし、ベースバンド信号の回線補償をして、復調部に出力する第２の回線補償手段とを有することが好ましい。
【００２８】
この構成により、伝搬路のフェージング変動による回線変動を補償し、その後、受信状況の変動によるインピーダンス不整合の自動整合を行い、さらに、インピーダンス自動整合による回線変動を補償するので、インピーダンスの自動整合の収束時間を短縮し、収束時の特性を改善するとともに、インピーダンス自動整合の収束過程における受信特性の劣化を抑制することができる。
【００２９】
また、本発明の無線通信装置では、回線補償手段は、無線フレームまたは無線スロット期間中は固定の回線変動補償値を用いて回線補償を行うことが好ましい。
【００３０】
この構成により、伝搬路のフェージング変動が十分に緩やかな場合に、無線フレームまたは無線スロット内のフェージング変動と、インピーダンス変化による受信状況の変動とを区別することができる。
【００３１】
また、本発明の無線通信装置では、インピーダンス制御手段は、インピーダンス可変手段を用いて、所定期間だけインピーダンスを調整し、所定期間後は、インピーダンスを所定期間前の状態に戻すことが好ましい。
【００３２】
この構成により、無線フレームまたは無線スロットに、トラッキング用のパイロット信号が含まれていない場合や、あるいはそれを利用しない場合、または、インピーダンスを調整したことにより新たな回線変動が生じる場合であっても、インピーダンスの変化を所定期間の後に基の状態に戻すことで、受信特性の劣化を低減することができる。特に、誤り訂正符号化及びインターリーブされて送信されるデータについては、インピーダンス調整期間が十分に短ければ、受信品質への影響をなくすことができる。
【００３３】
本発明の無線通信装置は、アンテナにより受信した信号を、ベースバンド信号に変換し、出力する無線部と、アンテナと無線部との間のインピーダンスを調整するインピーダンス可変手段と、ベースバンド信号からサブキャリア毎のベースバンド信号を抽出し、出力するサブキャリア信号抽出部と、サブキャリア毎のベースバンド信号から予め既知のパイロット信号を抽出し、出力するパイロット信号抽出手段、パイロット信号を用いてチャネル推定を行い、サブキャリア毎のベースバンド信号に回線補償を行う回線補償手段、回線補償手段の出力を用いてインピーダンス制御適性度を検出するインピーダンス制御適正度検出手段をそれぞれ有する複数のサブキャリア処理部と、インピーダンス制御適正度検出手段の出力を基に、インピーダンス可変手段のインピーダンス変化量を制御するインピーダンス制御手段と、回線補償手段の出力を用いて復調動作を行う復調部とを備えたことを特徴とする。
【００３４】
この構成により、マルチキャリア伝送においても、伝搬路のフェージング変動と、インピーダンス変化による受信状況の変動とを区別することができる。そして、伝搬路がフェージング変動を含む環境下においても、インピーダンス変化による受信状況の変動の誤検出がなくなり、インピーダンスの自動整合の収束時間を短縮し、収束時の特性を改善することができ、受信品質の向上を図ることができる。
【００３５】
本発明の無線通信装置は、アンテナにより受信した信号を、ベースバンド信号に変換し、出力する無線部と、アンテナと無線部との間のインピーダンスを調整するインピーダンス可変手段と、ベースバンド信号に逆拡散処理を行い、フィンガパス毎のベースバンド信号を抽出し、出力する逆拡散手段と、フィンガパス毎のベースバンド信号から予め既知のパイロット信号を抽出し、出力するパイロット信号抽出手段、パイロット信号を用いてチャネル推定を行い、フィンガパス毎のベースバンド信号に回線補償を行う回線補償手段をそれぞれ有する、フィンガパスと同数のフィンガパス処理部と、回線補償手段の出力の加算処理を行う第１の合成部と、第１の合成部の出力を用いてインピーダンス制御適性度を検出するインピーダンス制御適正度検出手段と、インピーダンス制御適正度検出手段の出力を基に、インピーダンス可変手段のインピーダンス変化量を制御するインピーダンス制御手段と、回線補償手段の出力の加算処理を行う第２の合成部と、第２の合成部の出力を用いて復調動作を行う復調部とを備えたことを特徴とする。
【００３６】
この構成により、ＣＤＭＡ伝送においても、伝搬路のフェージング変動と、インピーダンス変化による受信状況の変動とを区別することができる。そして、伝搬路がフェージング変動を含む環境下においても、インピーダンス変化による受信状況の変動の誤検出がなくなり、インピーダンスの自動整合の収束時間を短縮し、収束時の特性を改善することができ、受信品質の向上を図ることができる。
【００３７】
本発明の無線通信装置は、本発明の受信系統部を複数備え、回線補償手段の出力を重み付けて合成するアレー合成手段と、アレー合成手段の出力を用いて復調動作を行う復調部とを備えたことを特徴とする。
【００３８】
この構成により、複数のアンテナを有していても、伝搬路のフェージング変動と、インピーダンス変化による受信状況の変動とを区別することができる。そして、伝搬路がフェージング変動を含む環境下においても、インピーダンス変化による受信状況の変動の誤検出がなくなり、インピーダンスの自動整合の収束時間を短縮し、収束時の特性を改善することができ、受信品質の向上を図ることができる。
【００３９】
また、本発明の無線通信装置では、アレー合成手段は、インピーダンス制御手段が、無線フレームまたは無線スロット期間中にインピーダンスを変化させる制御の有無により、アレー合成の方法を変化させることが好ましい。
【００４０】
この構成により、インピーダンスの整合状態によって、複数のアンテナによる受信信号の合成方法を変化させることができ、インピーダンス自動整合の収束過程における受信品質の劣化を低減することができる。
【００４１】
また、本発明の無線通信装置では、アレー合成手段は、インピーダンス制御手段が、無線フレームまたは無線スロット期間中にインピーダンスを変化させる制御を行う場合は最大比合成重みを用いてアレー合成を行い、無線フレームまたは無線スロット期間中にインピーダンスを変化させる制御を行わない場合は、ビーム及びヌルの制御を行うアレー合成手法による重みを用いてアレー合成を行うことが好ましい。
【００４２】
この構成により、インピーダンスの整合状態によって、複数のアンテナによる受信信号の合成方法を選択することができ、特に、インピーダンス自動整合の収束過程において、ビーム及びヌルの制御を行わないことで、インピーダンス制御により新たな回線変動が生じる場合における受信品質の劣化を低減することができる。
【００４３】
また、本発明の無線通信装置では、アレー合成手段は、複数の受信系統部のインピーダンス制御手段の出力を用いて、受信ウエイトを生成し、出力する受信ウエイト生成部と、複数の受信系統部の第２の回線補償手段の出力を、受信ウエイトを用いて合成する受信ビーム形成部とを有することが好ましい。
【００４４】
この構成により、受信ウエイト生成部を無線通信装置ごとに切り替えて、最適な受信ウエイトを選択することができる。
【００４５】
また、本発明の無線通信装置では、受信電力を検出する受信電力検出手段と、前記受信電力検出手段の出力を基に、インピーダンス制御を停止するモードにするか、インピーダンス制御を動作させるモードにするかを判定する動作モード判定部と、を備え、前記インピーダンス制御手段は、前記動作モード判定部の出力に応じて動作モードを切り替えることが好ましい。
【００４６】
この構成により、受信電力レベルが所定値を超える場合、インピーダンス制御を行うことがなくなるため、インピーダンス制御のための動作にかかる消費電力の低減を行うことが可能となる。
【００４７】
また、本発明の無線通信装置では、前記復調部の出力を基に受信品質を推定する受信品質推定部と、前記受信品質推定部の出力を基に、インピーダンス制御を停止するモードにするか、インピーダンス制御を動作させるモードにするかを判定する動作モード判定部と、を備え、前記インピーダンス制御手段は、前記動作モード判定部の出力に応じて動作モードを切り替えることが好ましい。
【００４８】
この構成により、受信品質が所定レベルを満たすような好適な場合には、過剰なインピーダンス制御を行うことがなくなるため、インピーダンス制御のための動作にかかる消費電力の低減を行うことが可能となる。
【００４９】
また、本発明の無線通信装置は、前記復調部の出力を基に伝送パラメータを抽出する伝送パラメータ抽出部と、前記伝送パラメータ抽出部の出力を基に、インピーダンス制御を停止するモードにするか、インピーダンス制御を動作させるモードにするかを判定する動作モード判定部と、を備え、前記インピーダンス制御手段は、前記動作モード判定部の出力に応じて動作モードを切り替えることが好ましい。
【００５０】
この構成により、伝送パラメータからインピーダンス制御を停止させた方がよいと判断される場合にはインピーダンス制御を行うことがなくなるため、
【００５１】
また、本発明の無線通信装置は、前記動作モード判定部は、前記伝送パラメータ抽出部の出力を基に、受信情報量が所定値よりも小さい場合は、インピーダンス制御を停止するモードとすることが好ましい。
【００５２】
この構成により、インピーダンス制御動作を行うことによる特性改善効果に比べて消費電流が増加する悪影響の方が強くなると判断される場合、インピーダンス制御を行うことがなくなるため、インピーダンス制御にかかる消費電力の低減を行うことが可能となる。
【００５３】
また、本発明の無線通信装置は、前記復調部の出力を基に再送制御を行う再送制御部と、前記再送制御部の出力を基に、インピーダンス制御を停止するモードにするか、インピーダンス制御を動作させるモードにするかを判定する動作モード判定部と、を備え、前記インピーダンス制御手段は、前記動作モード判定部の出力に応じて動作モードを切り替えることが好ましい。
【００５４】
この構成により、再送要求の制御を行わない場合、インピーダンス制御を行うことがなくなるため、インピーダンス制御のための動作にかかる消費電力の低減を行うことが可能となる。
【発明の効果】
【００５５】
本発明の無線通信装置によれば、無線通信を行う伝搬路にフェージング変動が生じている場合でも、インピーダンスの自動整合を安定的に実現し、また、インピーダンス自動整合時のインピーダンス変化に起因する受信品質の劣化を低減させる無線通信装置を提供することができる。また、通話時の人体近接時といった無線通信装置の使用状況下で、アンテナの利得の劣化を抑え、受信品質の改善に寄与することができる。
【発明を実施するための最良の形態】
【００５６】
以下、本発明の実施の形態について、図面を参照しながら説明する。
【００５７】
（第１の実施の形態）
図１は、本発明の第１の実施の形態における無線通信装置の構成を示すブロック図である。本無線通信装置は、高周波信号を受信するアンテナ１、アンテナ１と後続する無線部３とのインピーダンス整合をとるために、インピーダンスを調整するインピーダンス可変手段２、入力される高周波信号の増幅、周波数変換及び帯域制限を施し、直交検波により同相信号（Ｉ信号）及び直交信号（Ｑ信号）からなる複素ベースバンド信号に変換する無線部３、受信信号に含まれる予め既知のパイロット信号を抽出するパイロット信号抽出手段４、抽出されたパイロット信号を基に所定のタイミングで無線回線の回線補償を行う第１の回線補償手段５及び第２の回線補償手段６、第１の回線補償手段５の出力からインピーダンス制御適正度を検出するインピーダンス制御適正度検出手段７、検出されたインピーダンス制御適正度に基に、アンテナ１との整合を行うインピーダンス制御手段８、第２の回線補償手段６の出力に対し、復調処理を行う復調部９を有している。なお、第１の回線補償手段５はインピーダンス制御適性度の検出に、好適な無線回線の回線補償を行い、第２の回線補償手段６は復調動作のために好適な無線回線の回線補償を行う。
【００５８】
以下、図１を用いて、その詳細動作を説明する。また、原理動作の説明を目的とするために、伝搬路モデルとしてフラットフェージングを仮定する。
【００５９】
アンテナ１は、インピーダンス可変手段２を介し、後続する無線部３に接続される。インピーダンス可変手段２は、インピーダンス制御手段８の制御により、アンテナ１と接続する際のインピーダンスを制御する。インピーダンス可変手段２の構成については、例えば前出の非特許文献１に開示されている。また、別の例として、いくつかの整合回路の切り替えにより、インピーダンス可変手段２を実現してもよい。本実施の形態では、このような公知の技術を適用しても、発明の内容がなんら損なわれるものではないので、ここでは公知技術を使用するものとして詳細な説明を省く。
【００６０】
アンテナ１で受信した高周波信号は、無線部３において、図示されていない増幅器、周波数変換器、帯域制限フィルタにより、それぞれ増幅、周波数変換及び帯域制限を施される。その後に直交検波され、Ｉ信号及びＱ信号からなる複素ベースバンド信号に変換される。
【００６１】
パイロット信号抽出手段４は、この複素ベースバンド信号からパイロット信号を抽出し、第１の回線補償手段５及び第２の回線補償手段６に出力する。
【００６２】
図２は、受信する信号の無線フレームの構成を示した模式図である。無線フレームには、制御またはユーザ個別データ２１の他に、予め既知の信号系列（以下、パイロット信号という）が含まれる。また、パイロット信号には、無線フレームの先頭（プリアンブル）に含まれる初期の回線推定用のパイロット信号２２と、制御データまたはユーザ個別データ中に間欠的に含まれるトラッキング用のパイロット信号２３とがある。
【００６３】
なお、無線フレームがさらに複数の無線スロットで構成される場合は、その最小単位の無線スロットでも同様の構成である。
【００６４】
また、図２においては、時分割でパイロット信号が挿入されているが、符号分割を用いてパイロット信号を多重させてもよい。この場合、パイロット信号を符号分割多重により間欠的あるいは連続的に多重することができる。また、直交波周波数多割多重（Ｏｒｔｈｒｏｇｏｎａｌ  Ｆｒｅｑｕｅｎｃｙ  Ｄｉｖｉｓｉｏｎ  Ｍｕｌｔｉｐｌｅｘｉｎｇ、以下、ＯＦＤＭとする）などによるマルチキャリア伝送においては、一部または全部のサブキャリアを用いて、間欠的にトラッキング用のパイロット信号を挿入しても良いし、一部のサブキャリアに連続的にトラッキング用のパイロット信号を挿入しても良い。
【００６５】
第１の回線補償手段５は、各無線フレームに含まれる初期の回線推定用のパイロット信号を用いて、振幅変動及び位相変動を含む複素数で表される回線推定値ｈ1（ｎ）を算出する（ただし、ｎは無線フレーム番号を表す自然数）。そして、当該第ｎ番目の無線フレーム内に含まれる離散時刻ｋにおける制御データまたはユーザ個別データｙn（ｋ）に対し、算出された回線推定値ｈ1（ｎ）を無線フレーム内で一定とし、（数１）のように回線補償を行う。ここで、第１の回線補償手段５による回線補償後の信号をｚn（ｋ）として表す。これにより、無線フレーム内で伝搬路の変動が比較的緩やかな場合、第１の回線補償手段５による回線補償後の信号は、伝搬路のフェージングによる変動が補償されたものとなり、送信時の信号振幅レベルを再現することができる。
【００６６】
【数１】
2007043676.tif 000003
【００６７】
インピーダンス制御適正度検出手段７は、インピーダンス制御手段８によるインピーダンス自動整合動作が適正であるかを表すインピーダンス適正度を検出する。インピーダンス制御適性度は、第１の回線補償手段５により、伝搬路におけるフェージング変動が補償されたものとして、第１の回線補償手段５の出力信号ｚn（ｋ）を用いて、インピーダンス制御適性度を検出する。ここで、インピーダンス制御適性度としては、ｚn（ｋ）の振幅または電力値を用いる。
【００６８】
インピーダンス制御手段８は、インピーダンス制御適性度に基づきインピーダンス可変手段２におけるインピーダンス値を変化させ、アンテナと無線部３との間のインピーダンス整合を行う。
【００６９】
図３はインピーダンス制御手段８における制御手順を示すフロー図である。以下、図３を用いてその動作説明を行う。
【００７０】
まず、インピーダンス制御手段８は、インピーダンス可変手段２におけるインピーダンス値を初期値に設定する（ステップＳ２０）。初期値としては、例えば通話状態などの人体近接時において最適な利得が得られるインピーダンス値に設定しておくことが望ましい。すなわち、人体、かばん、机などの想定される障害物に対して所定の間隔で配置された場合に、最も不整合損失が少なくなるように、予め調整されたインピーダンス値に設定しておく。また、所定の間隔の一例として、接触状態である０ｍｍや、非接触状態である５ｍｍ、１０ｍｍ、５０ｍｍなどが考えられるが、これに限定されるものではない。この場合、人体が近づいていることが明らかな場合に、そのインピーダンス自動整合のための収束速度を高める効果がある。あるいは、人体などが近接していない自由空間の条件で、使用するアンテナとの最適な整合状態が得られるインピーダンス値に設定しても良い。
【００７１】
次に、無線通信装置の動作状況を監視する（ステップＳ２１）。動作状況としては、通話期間中、ｉモードなどのインターネット接続中といった、人体が近接していることが明らかな、端末装置に固有な条件を用いることが望ましい。そのため、例えば、人体接触の検出、受信信号強度の低下検出、通話状態の検出などから一つあるいは複数の組合せ条件を用いる。人体接触、受信信号強度の低下、通話状態のいずれか一つまたは複数の組合せ条件が合致した場合、インピーダンス制御モードに移行する（ステップＳ２２）。検出されない場合は、引き続きステップＳ２１で動作状況を監視する。
【００７２】
次に、インピーダンス制御モードの動作を説明する。なお、以下では、フレーム同期が予め確立した後の動作を示す。インピーダンス制御手段８は、無線フレームに同期した動作を行う。すなわち、無線フレーム毎に、アンテナで受信される高周波信号段で、初期の回線推定用のパイロット信号が受信されるタイミングまで待つ（ステップＳ２３）。初期の回線推定用のパイロット信号が受信された後に、インピーダンス制御手段８はインピーダンス可変手段２におけるインピーダンスの調整を開始する（ステップＳ２４）。インピーダンス可変手段２におけるインピーダンス調整後、所定時間（当該高周波信号が複素ベースバンド信号として観測されるまでの時間）の経過後のタイミングにおけるインピーダンス制御適性度検出手段の出力値を検出する（ステップＳ２５）。そして、インピーダンス自動整合のための所定の制御アルゴリズムにおける評価関数を計算し、次回のインピーダンス変化値を算出する（ステップＳ２６）。算出された評価関数値が所定の収束条件を満たしているかを判定し（ステップＳ２７）、収束条件を満たさない場合は、動作状況を再度確認し（ステップＳ２８）、インピーダンス制御モードの条件が引き続き満たされる場合はステップＳ２３に移り、以下同様に繰り返し処理を行う。一方、インピーダンス制御モードの条件を満たさなくなった場合は、インピーダンス制御モードから抜け、ステップＳ２０に復帰する。
【００７３】
ステップＳ２７において、収束条件を満たす場合は、インピーダンス制御モードにおいてインピーダンス整合が完了したものとみなし、そのインピーダンス値を保持しつつ（ステップＳ２９）、動作状況を確認し（ステップＳ３０）、インピーダンス制御モードの条件が引き続き満たされる場合はそのインピーダンス値の保持を続け、インピーダンス制御モードの条件を満たさなくなった場合は、インピーダンス制御モードから抜けステップＳ２０に復帰する。
【００７４】
ここで、インピーダンス自動整合の制御アルゴリズムは、例えば、前出の非特許文献１に開示されているような最急降下法に基づく手法などの適用が可能であり、これによりアンテナ１とのインピーダンス不整合損を低減することが可能である。
【００７５】
なお、上述のステップＳ２５において、インピーダンス可変手段２におけるインピーダンス調整後、所定時間の経過後のタイミングにおけるインピーダンス制御適性度検出手段による出力値を検出するが、この際、インピーダンス制御適性度検出手段の出力値を異なるタイミングで複数回の検出し、その平均値を検出値としても良い。この場合、受信信号に含まれる雑音の影響及び残留する伝搬路のフェージング変動の影響を低減した検出を行うことができ、インピーダンス自動整合の収束動作の安定化を図ることができる。
【００７６】
また、上述したインピーダンス制御モードでは、無線フレームあるいは無線スロット単位で、１回のインピーダンス調整動作を行っている。つまり、初期の回線推定用パイロットによる回線補償後の時間的に近接したタイミングで、インピーダンス調整制御を行うことで、フェージング変動の影響を排除でき、より正確にインピーダンス制御に起因する変動を検出できる。一方、無線フレームあるいは無線スロットに、所定時間間隔毎に複数回のインピーダンス調整動作を行っても良い。
【００７７】
図４は、インピーダンス制御手段８における別の制御手順を示すフロー図である。図３と異なる部分は、ステップＳ２７で算出された評価関数値が所定の収束条件を満たしているかを判定し、収束条件を満たさない場合は、動作状況を再度確認し（ステップＳ３１）、インピーダンス制御モードの条件が引き続き満たされる場合に、ステップＳ２３に戻るのではなく、ステップＳ２４に戻り、引き続きインピーダンス制御を行う点である。これにより無線フレームあるいは無線スロットに、所定時間間隔毎に複数回のインピーダンス調整動作が可能となり、収束までに要する時間を短縮することができる効果を有する。ただし、伝搬路のフェージング変動状況が激しい場合は、無線フレームまたは無線スロット内の時間経過が経つほど、フェージング変動が重畳される確率が高くなり、インピーダンス制御に起因する変動を検出する精度が劣化する可能性がある。そのため、ドップラー周波数など伝搬路の変動状況を検出し、無線フレームあるいは無線スロット単位で行うインピーダンス調整動作の回数を変更する構成でも良い。この場合、変動が緩やかであるほど、インピーダンス調整動作の回数を増やす方法の適用が可能であり、伝搬状況に応じて、インピーダンス制御に起因する変動の検出の高精度化と、インピーダンス自動整合の制御アルゴリズム収束時間の短縮化との両立が図れる。
【００７８】
なお、ステップＳ２４のインピーダンス調整において、変更するインピーダンス値によっては、利得が劣化する可能性があるため、その影響を最小限にするため、インピーダンスを所定の時間変化させた後、変化させる前のインピーダンス値に戻す処理を行っても良い。この場合、インピーダンスを変化させる時間は、インピーダンス制御適性度検出において安定的な検出ができる時間間隔に設定する。
【００７９】
また、変更したインピーダンス値により評価関数の算出を行い、整合状況が改善されたと判断された場合には、次回のインピーダンス制御においては、そのインピーダンス値を固定的に用いる制御を加えても良い。これにより、収束の途中であっても、改善されたインピーダンス整合状況となり、受信品質の向上に寄与することができる。
【００８０】
なお、受信信号強度を記憶手段に保持し、次回以降のインピーダンス制御適用時の受信信号強度と比較し、受信信号強度の大きい方の受信信号強度情報とそのインピーダンス整合情報とを改めて記憶手段に保持することにより、インピーダンス制御適用時におけるアンテナ利得劣化を防止することが可能となる。この場合、受信信号強度は１回の信号もしくは数回の平均値を用いることが可能である。
【００８１】
また、収束後のインピーダンス値を保持し、次回のインピーダンス制御モードにおける初期値としてもよい。これにより、インピーダンス不整合状況が類似状況であった場合、インピーダンス自動整合の収束までに要する時間を短縮することができる。
【００８２】
なお、人体近接時にインピーダンス整合状態が劣化することから、通話ボタンなど無線通信装置のボタンやインターネット接続ボタンと連動してインピーダンス制御モードを動作させることが望ましい。この場合、人体の動きは通信速度に比べて低速であることから、インピーダンス制御モードの適用間隔を数秒に１回程度にすることで、回路における消費電流を少なくすることが可能となる。この場合、終了ボタンを押してから所定期間の間は人体が近接しているとみなして、インピーダンス制御モードを継続することが望ましい。所定の期間として例えば、１０秒、３０秒や１分といった時間が考えられるが、これに限定されるものではない。
【００８３】
なお、第１の回線補償手段５による回線補償後の信号ｚn（ｋ）を用いて、インピーダンス制御手段８の動作と連動したタイミングで、インピーダンス制御適性度を検出（ｚn（ｋ）の振幅または電力値算出）しても良い。これによりインピーダンス制御適性度検出手段７を常時動作させる必要がなくなり、間欠動作が可能となり、消費電力の低減に効果を有する。
【００８４】
一方、図１において、第２の回線補償手段６は、初期回線推定用及びトラッキング用のパイロット信号を用いて、無線フレームあるいは無線スロット内で、回線推定値を逐次更新させて回線補償を行う。回線推定値のトラッキングは、線形補間、ナイキストの内挿方式、ガウスの内挿方式、Ｌａｇｒａｎｇｅの内挿方式などの適用が可能である。本実施の形態では、このような公知の技術を適用しても、発明の内容がなんら損なわれるものではないので、ここでは公知技術を使用するものとして詳細な説明を省く。
【００８５】
第２の回線補償手段６により回線補償された第ｎ番目の無線フレームにおける離散時刻ｋの信号Ｕn（ｋ）は、（数２）に示される。離散時刻ｋにおける制御データまたはユーザ個別データｙn（ｋ）に対し、回線推定値のトラッキング演算の結果、算出された離散時刻ｋにおける回線推定値ｈ2（ｎ、ｋ）を用いて回線補償を行う。なお、パイロット信号を含まないデータに対しは、判定帰還されたデータを用いて回線推定値を算出し、回線推定値のトラッキングに用いても良い。
【００８６】
【数２】
2007043676.tif 000004
【００８７】
復調部９は、第２の回線補償手段６により、フェージング変動及びアンテナ１とのインピーダンス整合に起因する回線変動が補償された信号を用いて復調動作を行う。すなわち、図示されていないシンボル判定器により、シンボルデータをビットでデータに変換し、インターリーブされたデータを元のビット列に変換し、パンクチャ処理された場合はデパンクチャ処理を施し、チャネル符号化されたデータに対し、誤り訂正復号器により復号処理を行い送信信号の再生処理を行う。
【００８８】
以上の動作により、無線フレーム内（あるいは無線スロット内）での回線変動のトラッキングが可能となり、インピーダンス可変手段２において、インピーダンスを調整した場合の回線変動が含まれる場合も、第２の回線補償手段６によるトラッキング動作により受信品質への影響を低減することが可能となる。
【００８９】
また、本実施の形態において、複数の無線通信装置と多元接続している場合、第１の回線補償手段５または第２の回線補償手段６が回線補償を行うのは、自局宛ての無線フレームあるいは無線スロットでなく、他の受信装置宛ての無線フレームあるいは無線スロットを用いてもかまわない。これにより、自局宛てだけでなく、他の受信装置宛ての無線フレームあるいは無線スロットを用いることができ、最適な整合状態に到達時間を短縮化できる効果が得られる。
【００９０】
また、本実施の形態において、第２の回線補償手段６は必ずしも必須ではなく、第１の回線補償手段５の出力を、復調部９で用いるようにしてもよい。その場合には、インピーダンス可変手段２によるインピーダンスを調整による特性劣化が十分小さくなるように、インピーダンス制御量を制限する。これにより最適な整合状態への到達時間は長くなるが、受信品質への影響を抑えることができる。
【００９１】
（第２の実施の形態）
図５は、本発明の第２の実施の形態における無線通信装置の構成を示すブロック図である。本実施の形態の無線通信装置は、アンテナ１と、インピーダンス可変手段２と、無線部３と、パイロット信号抽出手段４と、第１の回線補償手段５と、インピーダンス制御適正度検出手段７と、インピーダンス制御手段８と、復調部９とを有している。第１の実施の形態では図２に示すように無線フレームまたは無線スロットに、トラッキング用のパイロット信号２３が含まれていることを前提にしたが、本実施の形態においては、トラッキング用のパイロット信号が含まれていない場合、あるいはそれを利用しない場合の実施の形態となる。
【００９２】
インピーダンス制御手段８は、第１の実施の形態で示した図３と同様な手順で動作するが、異なるのはステップＳ２４のインピーダンス調整において、インピーダンスを所定の時間変化させた後、変化させる前のインピーダンス値に戻す処理を行う。この場合、インピーダンスを変化させる時間は、インピーダンス制御適性度検出において安定的な検出ができる時間に設定する。これにより、無線フレームまたは無線スロットにおいて、間欠的に回数制限されたインピーダンス調整動作となる。
【００９３】
図６は、インピーダンス制御手段８における制御動作タイミングを示す模式図である。無線フレームの先頭の到来タイミングを基準（時刻ｔ＝０）とした場合、プリアンブルにおけるパイロット信号２２の期間Ｔｐの経過後の時刻ｔ＝Ｔｐ＋Ｔ１（ただし、Ｔ１＞０）に、インピーダンス制御手段８は、所定のインピーダンス自動整合アルゴリズムに従いインピーダンス可変手段２におけるインピーダンスをｄ（ｔ）だけ、所定期間Ｔｓ内に渡り変化させる。これにより、インピーダンス可変手段２におけるインピーダンスＤは、初期のインピーダンス値をｄ０とした場合、Ｄ＝ｄ０＋ｄ（ｔ）となる。所定期間Ｔｓが経過後の時刻ｔ＝Ｔｐ＋Ｔ１＋Ｔｓ以降は、インピーダンス値に戻す。次に、インピーダンス制御手段８に入力されている、インピーダンス制御適性度検出手段において検出されたインピーダンス制御適性度を、時刻ｔ＝Ｔｐ＋Ｔ１＋Ｔｄ〜時刻ｔ＝Ｔｐ＋Ｔ１＋Ｔｄ＋Ｔｑ内で検出する（ただし、Ｔｑ≦Ｔｓ）。以上の動作を以降のフレームに対し同様に繰り返す。
【００９４】
復調部９は、第１の回線補償手段５の出力を用いて、復調動作を行う。
【００９５】
以上の動作により、無線フレームまたは無線スロットにおいてインピーダンス調整制御を間欠的に回数制限して行うことできる。これにより、１）インピーダンスの変化により回線変動が生じても、無線フレームまたは無線スロットにおいて、それが占める割合は、十分短い期間であること、また、２）回線変動が生じる箇所がブロック的に集中して生じるが、インターリーブを施しているため、逆インターリーブ後には回線変動を受けた箇所は分散され、誤り訂正符号が施されている受信信号は、誤り訂正復号器の復号処理により誤り訂正符号が有効に働き、受信品質劣化の影響が低減されるという効果が得られる。
なお、本実施の形態において、インピーダンス制御手段８は、無線フレームまたは無線スロットにおいて、１回のインピーダンス制御を行うが、誤り訂正能力が十分に高い場合、さらにその回数を増やしても良い。すなわち、フレーム内で所定の時間間隔毎にインピーダンス調整制御及びインピーダンス制御適正度検出動作を同様に繰り返す。これにより、インピーダンス自動整合に要する収束時間を短縮することが可能となり、受信品質の改善に効果的である。
【００９６】
（第３の実施の形態）
第１の実施の形態においては、シングルキャリア伝送におけるインピーダンス制御の動作を説明したが、本実施の形態においては、ＯＦＤＭのようなマルチキャリア伝送への適用時の動作について説明する。
【００９７】
図７は、本実施の形態において、ＯＦＤＭ伝送を用いる無線通信装置の構成を示すブロック図である。本実施の形態の無線通信装置は、アンテナ１と、インピーダンス可変手段２と、無線部３と、サブキャリア信号抽出部７０と、パイロット信号抽出手段４−１〜Ｓ、第１の回線補償手段５−１〜Ｓ、第２の回線補償手段６−１〜Ｓ、インピーダンス制御適正度検出手段７−１〜Ｓを有する複数のサブキャリア処理部７２−１〜Ｓと、インピーダンス制御手段７４と、復調部７３とを有している。
【００９８】
無線部３の出力が得られるまでは、第１の実施の形態と同様であり、その動作説明を省略する。サブキャリア信号抽出部７０は、送信時に付加されたガードインターバル期間を取り除いた時間窓を用いて高速フーリエ変換（Ｆａｓｔ  Ｆｏｕｒｉｅｒ  Ｔｒａｎｓｆｏｒｍ、ＦＦＴ）処理を行うことで、サブキャリア毎の複素ベースバンド信号７１−１〜Ｓを抽出し、サブキャリア毎に設けられたサブキャリア処理部７２−１〜Ｓ（Ｓは自然数）に出力する。なお、本実施の形態では、サブキャリア数をＳ個とする。
【００９９】
それぞれのサブキャリア信号７１−１〜Ｓに対し、それぞれ設けられたパイロット信号抽出手段４−１〜Ｓ、第１の回線補償手段５−１〜Ｓ、第２の回線補償手段６−１〜Ｓ、及びインピーダンス制御適正度検出手段７−１〜Ｓは、第１の実施の形態と同様な動作を行う。復調部７３は、第２の回線補償手段６−１〜Ｓの出力を用いて、復調動作を行う。インピーダンス制御手段７４は、Ｓ個のインピーダンス制御適正度検出手段７の出力であるインピーダンス制御適性度を入力とする。
【０１００】
インピーダンス制御手段７４は、第１の実施の形態において説明した制御動作を同様に行うが、図３のステップＳ２５における検出方法が異なる。すなわち、第ｍ番目インピーダンス制御適正度検出手段７−ｍにおける離散時刻ｋのインピーダンス制御適性度をＱ（ｋ、ｍ）とすると（１≦ｍ≦Ｓ）、インピーダンス制御手段７４は、（数３）で示すように、それらの平均値であるＱｍ（ｋ）を改めてインピーダンス制御適性度として用いる。インピーダンス制御手段７４は、インピーダンス制御適性度Ｑｍ（ｋ）を用いて、第１の実施の形態あるいは第２の実施の形態の動作と同様の動作を行う。
【０１０１】
【数３】
2007043676.tif 000005
【０１０２】
以上、本実施の形態により、第１の実施の形態の効果に加え、サブキャリア伝送時においても、インピーダンス自動整合による制御動作が可能となる。この場合、複数のサブキャリアに対し、インピーダンス制御適性度検出手段７−１〜Ｓを設け、それらの出力を平均したものをインピーダンス制御のための適性度とする。これにより、周波数選択性フェージング環境においても、適性度の検出が安定して行うことができる。更に、インピーダンス自動整合動作も安定して動作することで、受信品質の改善に寄与することができる。
【０１０３】
なお、図７において、サブキャリア毎の複素ベースバンド信号に対し、パイロット信号抽出手段４−１〜Ｓ、第１の回線補償手段５−１〜Ｓ、第２の回線補償手段６−１〜Ｓ、インピーダンス制御適正度検出手段７−１〜Ｓを設け、サブキャリア毎にインピーダンス制御適正度を検出したが、隣接するサブキャリア間は比較的相関が高いため、必ずしも全てのサブキャリアに対し、これらを設ける必要はなく。部分的に間引かれたサブキャリアを用いることも可能である。これにより、同様な効果を得られるが、同時にハードウエア規模の削減も可能となる。
【０１０４】
（第４の実施の形態）
第１の実施の形態においては、シングルキャリア伝送におけるインピーダンス制御の動作を説明したが、本実施の形態においては、ＣＤＭＡへの適用動作について説明する。図８は、本実施の形態において、ＣＤＭＡ伝送を用いる無線通信装置の構成を示すブロック図である。本実施の形態の無線通信装置は、アンテナ１と、インピーダンス可変手段２と、無線部３と、逆拡散手段８０と、パイロット信号抽出手段４−１〜Ｌ、第１の回線補償手段５−１〜Ｌ、第２の回線補償手段６−１〜Ｌを有する複数のフィンガパス処理部８２−１〜Ｌと、第１の合成部８３と、インピーダンス制御適正度検出手段８４と、インピーダンス制御手段８と、第２の合成部８５と、復調部８６とを有している。
【０１０５】
無線部３の出力が得られるまでは、第１の実施の形態と同様である。逆拡散手段８０は、送信時に所定の拡散符号で拡散された信号に対し、同じ拡散符号を用いて逆拡散処理を行う。
【０１０６】
ここで、図示されていないパスサーチ手段により、到来するＬ個（Ｌは自然数）のマルチパスの到来パスタイミングが推定されているものとし、それぞれのパス到来タイミングで逆拡散処理を行うことで、フィンガパス毎の複素ベースバンド信号８１−１〜Ｌを抽出し、フィンガパス処理部８２−１〜Ｌに出力する。それぞれのフィンガパス信号８１−１〜Ｌに対し、それぞれ設けられたパイロット信号抽出手段４−１〜Ｌ、第１の回線補償手段５−１〜Ｌ、及び第２の回線補償手段６−１〜Ｌは、第１の実施の形態と同様な動作を行う。第１の合成部８３は、Ｌ個のパスフィンガ毎に設けられた第１の回線補償手段５−１〜Ｌの出力を加算処理する。第２の合成部８５もまた同様に、Ｌ個のパスフィンガ毎に設けられた第２の回線補償手段６−１〜Ｌの出力を加算処理する。復調部８６は、第２の合成部８５の出力を用いて、復調動作を行う。
【０１０７】
一方、インピーダンス制御適性度検出手段８４は、第１の合成部８３の出力に対し、インピーダンス制御適性度検出を行うことを除き、第１の実施の形態と同様な動作を行う。また、インピーダンス制御手段８も第１の実施の形態と同様な動作を行う。
【０１０８】
以上、本実施の形態により、ＣＤＭＡ伝送時においても、インピーダンス自動整合による制御動作が可能となる。この場合、逆拡散処理よって得られる複数のフィンガパスに対し、それぞれ複数の第１の回線補償手段５−１〜Ｌを設け、全てのフィンガパスに対する、第１の回線補償手段５−１〜Ｌの出力を加算したものに対し、インピーダンス制御適性度検出手段８４によるインピーダンス制御のための適性度とすることで、周波数選択性フェージング環境においても、適性度の検出を安定して行うことができる。それによりインピーダンス自動整合動作も安定して動作することで、受信品質の改善に寄与することができる。
【０１０９】
（第５の実施の形態）
第１の実施の形態においては、シングルアンテナで受信する場合のインピーダンス制御の動作を説明したが、本実施の形態においては、マルチアンテナを有する場合の適用動作について説明する。
【０１１０】
図９は、本実施の形態において、マルチアンテナを用いる無線通信装置の構成を示すブロック図である。本実施の形態の無線通信装置は、アンテナ１、インピーダンス可変手段２、無線部３、パイロット信号抽出手段４、第１の回線補償手段５、第２の回線補償手段６、インピーダンス制御適正度検出手段７、インピーダンス制御手段９２を有する複数の受信系統部と、受信ウェイト生成部９３と、受信ビーム形成部９４と、復調部９とを有している。なお、図９においては、受信系統数Ｎｒが２である場合を示すがこれに限定されず、これ以上の場合も同様に適用することが可能である。
【０１１１】
第ｊ番目の受信系統部９１−ｊは、アンテナ１−ｊ、インピ−ダンス可変手段２−ｊ、無線部３−ｊ、パイロット信号抽出手段４−ｊ、第１の回線補償手段５−ｊ、第２の回線補償手段６−ｊ、インピ−ダンス制御適性度検出手段７−ｊ、インピ−ダンス制御手段９２−ｊを有し、インピ−ダンス制御手段９２−ｊ以外のそれぞれの動作は第１の実施の形態と同様であり、その説明を省略する。ここでｊはＮｒ以下の自然数である。
【０１１２】
インピーダンス制御手段９２−ｊは、インピーダンス制御モードの収束過程にあるか、それ以外の動作モードにあるかを後続する受信ウエイト生成部９３に出力する。すなわち、図３あるいは図４におけるインピーダンス制御手段８のフローチャートにおけるステップＳ２７において、評価関数が収束していると判断できない場合のみ収束過程にある制御フラグＦ（ｊ）を「１」にセットし、それ以外の場合は制御フラグＦ（ｊ）を「０」にセットする。
【０１１３】
受信ウエイト生成部９３は、受信系統数Ｎｒ個の第２の回線補償手段６−１〜Ｎｒの出力を合成するための受信ウエイトを生成し、受信ビーム形成部９４に出力する。ここで、インピーダンス制御手段９２−１〜Ｎｒからの制御フラグＦ（ｊ）を基に異なる受信ウエイト生成アルゴリズムにより受信ウエイトを生成する。すなわち、制御フラグＦ（ｊ）のうち、ひとつでも収束過程にあることを示す「１」が含まれる場合、最大比合成ビームウエイトを生成する。一方、制御フラグＦ（ｊ）がすべて「０」である場合、すなわち、どの受信系統でもインピーダンス制御の収束過程にない場合は、最小自乗誤差規範（Ｍｉｎｉｍｕｍ  Ｍｅａｎ  Ｓｑｕａｒｅｄ  Ｅｒｒｏｒ、以下、ＭＭＳＥとする）により受信ウエイトを生成する。受信ビーム形成部９４により合成された信号は復調部９に出力する。復調部９は第１の実施の形態と同様に復調動作を行う。なお、受信ウエイト生成部９３と受信ビーム形成部９４とを合わせて、アレー合成手段ということもある。
【０１１４】
以上のように本実施の形態により、第１の実施の形態の効果に加え、マルチアンテナを用いた受信時においてもインピーダンス自動整合による制御動作が可能となる。この場合、受信ビーム形成部９４は、受信系統のうち一つでも、インピーダンス自動整合の収束過程にある場合、受信ウエイトの生成アルゴリズムとして、最大比合成ビームを採用する。一方、受信ビーム形成部９４は、すべての受信系統において、インピーダンス自動整合の収束過程にない場合、ＭＭＳＥによりビームヌル形成を行う。
【０１１５】
これにより、無線通信端末は、インピーダンス自動整合の収束過程には、インピーダンス変化による複素振幅変動が生じるが、この変動に対し性能劣化の大きなＭＭＳＥアルゴリズムを動作させることを避け、この変動に対し性能劣化の少ない最大比合成ウエイトで受信させることができる。また、無線通信端末は、収束過程にない場合に、ＳＩＲ（Ｓｉｇｎａｌ  ｔｏ  Ｉｎｔｅｒｆｅｒｅｎｃｅ  Ｒａｔｉｏ）を最適にする受信ウエイトの効果により、最大比合成ウエイトを用いるよりも、受信品質を効果的に高めることができる。以上のようにインピーダンス自動整合動作状況に応じて、受信ビーム生成アルゴリズムを変更することで、受信品質を安定に改善することができる。
【０１１６】
以上、本発明の５つの実施の形態について、図面を参照しながら説明してきたが、本発明は、これらの実施の形態に限定されるものではなく、例えば、第２乃至第４のいずれかの実施の形態においても、無線通信装置が複数のアンテナ及びそれらに接続される複数の無線部を有するものであってもよい。
【０１１７】
また、本発明の５つの実施の形態において、無線部は受信した信号を複素ベースバンド信号に変換し、出力しているが、変調方式によっては、複素ベースバンド信号以外のベースバンド信号に変換し、出力するものであってもかまわない。
【０１１８】
また、本発明は、受信品質の向上に寄与するものであり、放送受信機における受信部への適用も同様に可能であり、本実施の形態で説明した効果が同様に得ることができる。
【０１１９】
また、本発明の実施の形態では受信時について説明したが、これに限定されるものではなく、送信時にも同様にインピーダンス整合を可変にすることで人体、かばん、机などの障害物に無線通信端末が近接した場合の、インピーダンス不整合によるアンテナ利得劣化を改善することが期待できることはもちろんのことである。この場合、受信時に最適化したインピーダンス可変手段におけるインピーダンス値を送信時に適用することが可能である。
【０１２０】
以下、第６〜第９の実施の形態として、状況に応じてインピーダンス制御を停止させる機能を有する無線通信装置について説明する。
【０１２１】
（第６の実施の形態）
図１０は、第６の実施の形態における無線通信装置の構成を示すブロック図である。本無線通信装置は、第１の実施の形態の無線通信装置の構成に加えて、受信電力レベルを検出する受信電力検出手段１００と、その出力に基づき、インピーダンス制御手段８によるインピーダンス制御を停止するモードにするか、動作させるモードにするかを判定する動作モード判定部１０１とを新たに追加した構成をとる。以下、図１０を用いて、主に第１の実施の形態と異なる詳細動作について説明する。
【０１２２】
受信電力検出手段１００は、無線部３からの出力信号を基に受信電力レベルを検出する。
【０１２３】
無線部３からの出力信号としては、１）無線部３において自動利得制御（ＡＧＣ）する場合の制御信号、または、２）複素ベースバンド信号を用いる。受信電力検出手段１００は、１）の場合、無線部３から、ＡＧＣの増幅利得を所定レベルよりも小さく制御する制御信号が出力された場合に受信電力レベルが高いと判定する。また、受信電力検出手段１００は、２）の場合、複素ベースバンド信号に含まれる雑音電力成分と、信号電力成分の比からなるＳＮＲ（信号対雑音電力比）を検出し、それが所定値よりも高い場合に、受信電力レベルが高いと判定する。
【０１２４】
動作モード判定部１０１は、受信電力検出手段１００の出力に基づきインピーダンス制御手段８の動作モードを判定し、その結果をインピーダンス制御手段８に出力する。すなわち、受信電力検出手段１００において、受信電力レベルが所定レベルよりも高いと判定された場合、動作モード判定部１０１は、インピーダンス制御手段８がインピーダンス制御モードに移行しないよう制御を行う。一方、受信電力検出手段１００において、受信電力レベルが所定レベルよりも低いと判定された場合、動作モード判定部１０１は、インピーダンス制御手段８がインピーダンス制御モードに移行するよう制御を行う。インピーダンス制御手段８におけるインピーダンス制御動作については、上述した第１から第５の実施の形態のいずれかと同様な動作を行うため、以下ではその説明を省略する。
【０１２５】
以上、本実施の形態によって、受信電力レベルが所定値を超える場合、インピーダンス制御を行うことがなくなる。これにより、受信状況が所定レベルを満たすような好適な場合には、過剰なインピーダンス制御を行うことがなくなる。その結果、インピーダンス制御のための動作を停止することで、無線通信装置の消費電力の低減を行うことが可能となる。
【０１２６】
（第７の実施の形態）
図１１は、第７の実施の形態における無線通信装置の構成を示すブロック図である。本無線通信装置は、第１の実施の形態の無線通信装置の構成に加えて、復調部９からの出力を基に受信品質を推定する受信品質推定部１０３と、その出力に基づき、インピーダンス制御手段８によるインピーダンス制御を停止するモードにするか、動作させるモードにするかを判定する動作モード判定部１０１ａとを新たに追加した構成をとる。以下、図１１を用いて、主に第１の実施の形態と異なる詳細動作について説明する。
【０１２７】
受信品質推定部１０３は、復調部９からの出力信号を基に受信品質を推定する。受信品質推定方法として、誤り訂正復号器による復号結果の、１）送信パケットデータに含まれるＣＲＣ（巡回冗長検査、Ｃｙｃｌｉｃ  Ｒｅｄｕｎｄａｎｃｙ  Ｃｈｅｃｋ）結果、２）送信パケットデータに含まれるパリティビットの復号結果、３）ビット誤り率、パケット誤り率の所定値との比較、などを用いる。１）、２）の場合、復号結果に誤りがない場合は、受信品質が良好であると推定する。３）の場合、所定値よりも誤り率が低い場合、受信品質が良好であると推定する。
【０１２８】
動作モード判定部１０１ａは、受信品質推定部１０３の出力に基づきインピーダンス制御手段８の動作モードを判定し、その結果をインピーダンス制御手段８に出力する。すなわち、受信品質推定部１０３において、受信品質が所定レベルよりも良好と判定された場合、動作モード判定部１０１は、インピーダンス制御手段８がインピーダンス制御モードに移行しないよう制御を行う。一方、受信品質推定部１０３において、受信品質が所定レベルよりも低いと判定された場合、インピーダンス制御手段８がインピーダンス制御モードに移行するよう制御を行う。インピーダンス制御手段８におけるインピーダンス制御動作については、上述した第１から第５の実施の形態のいずれかと同様な動作を行うため、以下ではその説明を省略する。
【０１２９】
以上、本実施の形態によって、受信品質レベルが所定値を超える場合、インピーダンス制御を行うことがなくなる。これにより、受信品質が所定レベルを満たすような好適な場合には、過剰なインピーダンス制御を行うことがなくなる。その結果、インピーダンス制御のための動作を停止することで、無線通信装置の消費電力の低減を行うことが可能となる。
【０１３０】
（第８の実施の形態）
図１２は、第８の実施の形態における無線通信装置の構成を示すブロック図である。本無線通信装置は、第１の実施の形態の無線通信装置の構成に加えて、復調部９からの出力を基に伝送パラメータを抽出する伝送パラメータ抽出部１０４と、その出力に基づき、インピーダンス制御手段８によるインピーダンス制御を停止するモードにするか、動作させるモードにするかを判定する動作モード判定部１０１ｂとを新たに追加した構成をとる。以下、図１２を用いて、主に第１の実施の形態と異なる詳細動作について説明する。
【０１３１】
伝送パラメータ抽出部１０４は、復調部９からの出力信号を基に伝送パラメータを抽出する。伝送パラメータ抽出は、送信パケットデータに含まれる伝送パラメータに関する情報が含まれる部分に対する、復調部９の誤り訂正復号器による復号結果から、伝送パラメータを抽出する。また、伝送パラメータの情報として、１）多値変調数及び誤り訂正符号の符号化率、２）パケットサイズ、３）受信情報量のいずれかを用いる。
【０１３２】
なお、受信情報量とは、特定の通信相手から一度の通信で受信するメール、画像データ、コンテンツ等の情報量のことである。
【０１３３】
動作モード判定部１０１ｂは、伝送パラメータ抽出部１０４の出力に基づきインピーダンス制御手段８の動作モードを判定し、その結果をインピーダンス制御手段８に出力する。すなわち、動作モード判定部１０１ｂは、伝送パラメータ抽出部１０４において抽出された１）多値変調数及び符号化率、２）パケットサイズ、３）受信情報量のいずれかを用いて、以下のように動作モードを判定する。
【０１３４】
１）多値変調数及び符号化率を用いる場合、６４ＱＡＭや１６ＱＡＭ等の変調多値数が所定より大きい、あるいは符号化率が所定より大きい場合は、受信信号レベルが良好な環境下であると判断し、インピーダンス制御手段８におけるインピーダンス制御モードに移行しない制御を行う。一方、ＢＰＳＫやＱＰＳＫ等の変調多値数が所定よりも小さい場合、あるいは、符号化率が所定値より小さい場合、受信品信号レベルが良好でない環境下であると判断し、インピーダンス制御手段８におけるインピーダンス制御モードに移行する制御を行う。
２）パケットサイズ情報を用いる場合、送信パケットサイズが所定値より小さい場合は、インピーダンス制御動作が十分収束せずに特性改善に十分な効果が得られないと判断し、インピーダンス制御手段８におけるインピーダンス制御モードに移行しない制御を行う。一方、パケットサイズが所定値より大きい場合は、インピーダンス制御動作が十分収束し特性改善効果を高めることができると判断し、インピーダンス制御手段８におけるインピーダンス制御モードに移行する制御を行う。
３）受信情報量を用いる場合、受信情報量が所定値より小さい場合は、インピーダンス制御動作を行うことによる特性改善効果に比べて消費電流が増加する悪影響の方が強くなると判断し、インピーダンス制御手段８におけるインピーダンス制御モードに移行しない制御を行う。一方、受信情報量が所定値より大きい場合は、インピーダンス制御動作が十分収束し特性改善効果を高めることができると判断し、インピーダンス制御手段８におけるインピーダンス制御モードに移行する制御を行う。
【０１３５】
インピーダンス制御手段８におけるインピーダンス制御動作については、上述した第１の実施の形態から５のいずれかと同様な動作を行うため、以下ではその説明を省略する。
【０１３６】
以上、本実施の形態によって、変調多値数が所定値を超える場合あるいは符号化率が所定より大きい場合、インピーダンス制御を行うことがなくなる。これにより、受信状況が所定レベルを満たすような好適な場合には、インピーダンス制御を行うことがなくなる。その結果、過剰なインピーダンス制御のための動作を停止することで、無線通信装置の消費電力の低減を行うことが可能となる。
【０１３７】
また、送信パケットサイズが所定値より小さい場合、すなわち、インピーダンス制御動作が十分収束せずに特性改善に十分な効果が得られないと判断される場合、インピーダンス制御を行うことがなくなる。その結果、過剰なインピーダンス制御のための動作を停止することで、無線通信装置の消費電力の低減を行うことが可能となる。
【０１３８】
また、受信情報量が所定値より小さい場合、すなわち、インピーダンス制御動作を行うことによる特性改善効果に比べて消費電流が増加する悪影響の方が強くなると判断される場合、インピーダンス制御を行うことがなくなる。その結果、過剰なインピーダンス制御のための動作を停止することで、無線通信装置の消費電力の低減を行うことが可能となる。
【０１３９】
（第９の実施の形態）
図１３は、第９の実施の形態における無線通信装置の構成を示すブロック図である。本無線通信装置は、第１の実施の形態の無線通信装置の構成に加えて、復調部９からの出力を基に再送制御を行う再送制御部１０５と、その出力に基づき、インピーダンス制御手段８によるインピーダンス制御を停止するモードにするか、動作させるモードにするかを判定する動作モード判定部１０１ｃとを新たに追加した構成をとる。以下、図１３を用いて、主に第１の実施の形態と異なる詳細動作について説明する。
【０１４０】
再送制御部１０５は、復調部９からの出力信号を基に再送制御を行う。すなわち、再送制御部１０５は、復調部９における誤り訂正復号処理による送信パケットデータの復号結果が、誤りなく受信できたものかどうかを、ＣＲＣ結果等を用いて判定する。そして再送制御部１０５は、パケットデータに誤りが生じた場合、再送要求の制御を行う。
【０１４１】
動作モード判定部１０１ｃは、再送制御部１０５の出力に基づきインピーダンス制御手段８の動作モードを判定し、その結果をインピーダンス制御手段８に出力する。すなわち、動作モード判定部１０１ｃは、再送制御部１０５において、再送要求の制御を行わない場合は、受信信号レベルが良好な環境下であると判断し、インピーダンス制御手段８におけるインピーダンス制御モードに移行しない制御を行う。一方、再送制御部１０５が再送要求の制御を行う場合、動作モード判定部１０１ｃは、受信信号レベルが良好な環境下でないと判断し、インピーダンス制御手段８におけるインピーダンス制御モードに移行する制御を行う。
【０１４２】
以上、本実施の形態によって、再送制御部１０５の出力に基づきインピーダンス制御手段８の動作モードを判定制御する。これにより、再送要求の制御を行わない場合、インピーダンス制御を行うことがなくなる。その結果、過剰なインピーダンス制御のための動作を停止することで、無線通信装置の消費電力の低減を行うことが可能となる。
【産業上の利用可能性】
【０１４３】
本発明にかかる無線通信装置は、アンテナのインピーダンスの自動整合を受信品質の劣化なく、フェージング環境においても安定的に行えるインピーダンス可変手段を有し、無線通信分野に有用である。また、放送受信装置などの用途にも適用でききる。
【図面の簡単な説明】
【０１４４】
【図１】本発明の第１の実施の形態における無線通信装置の構成を示すブロック図
【図２】本発明の第１の実施の形態における無線通信装置の受信する無線フレームの構成を示す模式図
【図３】発明の第１の実施の形態における無線通信装置のインピーダンス制御手段の制御手順を示すフロー図
【図４】本発明の第１の実施の形態における無線通信装置のインピーダンス制御手段の別の制御手順を示すフロー図
【図５】本発明の第２の実施の形態における無線通信装置の構成を示すブロック図
【図６】本発明の第２の実施の形態における無線通信装置のインピーダンス制御手段の制御タイミング示す模式図
【図７】本発明の第３の実施の形態における無線通信装置の構成を示すブロック図
【図８】本発明の第４の実施の形態における無線通信装置の構成を示すブロック図
【図９】本発明の第５の実施の形態における無線通信装置の構成を示すブロック図
【図１０】本発明の第６の実施の形態における無線通信装置の構成を示すブロック図
【図１１】本発明の第７の実施の形態における無線通信装置の構成を示すブロック図
【図１２】本発明の第８の実施の形態における無線通信装置の構成を示すブロック図
【図１３】本発明の第９の実施の形態における無線通信装置の構成を示すブロック図
【符号の説明】
【０１４５】
１  アンテナ
２  インピーダンス可変手段
３  無線部
４  パイロット信号抽出手段
５  第１の回線補償手段
６  第２の回線補償手段
７  インピーダンス制御適性度検出手段
８  インピーダンス制御手段
９  復調部
７０  サブキャリア信号抽出部
７２  サブキャリア処理部
８０  逆拡散手段
８２  フィンガパス処理部
８３  第１の合成部
８５  第２の合成部
９１  受信系統部
９３  受信ウエイト部
９４  受信ビーム形成部
【図１】
2007043676.tif 000006
【図２】
2007043676.tif 000007
【図３】
2007043676.tif 000008
【図４】
2007043676.tif 000009
【図５】
2007043676.tif 000010
【図６】
2007043676.tif 000011
【図７】
2007043676.tif 000012
【図８】
2007043676.tif 000013
【図９】
2007043676.tif 000014
【図１０】
2007043676.tif 000015
【図１１】
2007043676.tif 000016
【図１２】
2007043676.tif 000017
【図１３】
2007043676.tif 000018